(57)【特許請求の範囲】
【請求項１】
地上に立設された内部支柱に上端が閉塞された外部支柱が回動自在に被覆され、内部支柱の側壁に開口部が設けられるとともに、その開口部に面して内部支柱内に光線路に接続された情報コンセントが支持され、外部支柱の側壁には可搬局の端末用挿入孔が設けられ、内部支柱と外部支柱間の回動防止装置が設けられ、外部支柱を回動させて端末用挿入孔と内部支柱の開口部とを一致させて可搬局の端末を情報コンセントに接続することができ、又可搬局の端末を情報コンセントから取り外した際は端末用挿入孔の位置が内部支柱の開口部からずれるように外部支柱を回動させることができ、さらに、端末用挿入孔と内部支柱の開口部とを一致させたときとずらしたときのいずれにおいても、回動防止装置によって内部支柱と外部支柱とを回動不能に固定することができるようになされた情報コンセント取付構造体。
【請求項２】
内部支柱、外部支柱ともに断面円形となされた請求項１記載の情報コンセント取付構造体。
【請求項３】
内部支柱、外部支柱ともに断面対称形となされた請求項１記載の情報コンセント取付構造体。
【請求項４】
回動防止装置が、外部支柱の端末用挿入孔を内部支柱の情報コンセントに向き合せた状態で両支柱の直径方向に貫通して設けられたピン孔と、そのピン孔に挿入されるロックピンと、そのロックピンの先端に取着された抜け止めとからなる請求項１、２または３記載の情報コンセント取付構造体。
【請求項５】
内部支柱のピン孔にロックピン用ガイドパイプが設けられてなる請求項４記載の情報コンセント取付構造体。
【請求項６】
回動防止装置が、電波、又は赤外線式の遠隔操作による施錠・解除可能なロック機構となされた請求項１、２または３記載の情報コンセント取付構造体。
【請求項７】
回動防止装置が、そのコンセント取付構造体に接続された光線路を経て得られる情報を基にした遠隔操作による施錠・解除可能な機構となされた請求項１、２または３記載の情報コンセント取付構造体。
【請求項８】
外部支柱の端末用挿入孔の縁に防水シートが設けられてなる請求項１、２、３、４、５、６または７記載の情報コンセント取付構造体。
【発明の詳細な説明】
【０００１】
【発明の属する技術分野】
本発明は、可搬局を用い光線路を使って光情報を取り出す際の情報コンセントを取り付けるための情報コンセント取付構造体に関する。
【０００２】
【従来の技術】
従来、可搬局を使って光情報を取り出す際に、可搬局の端末を接続する光線路の情報コンセントは、例えば特開平１０−９０５７３号に支柱上部のキャップを引き上げ、支柱上部の光端末を露出するようになされた光線路の端末構造が開示されている。
【０００３】
【発明が解決しようとする課題】
しかしながら、特開平１０−９０５７３号に開示された光線路の端末構造は、その光線路の端末構造を使用中はキャップが引き上げられているので、降雨時や降雪時にはこの情報コンセントの部分が雨や雪で濡れるとともに、その情報コンセントの側面は何も保護されず、他の器物が触れやすく損傷する危険があった。
【０００４】
本発明は上記課題に鑑みなされたもので、情報コンセントの使用中にあっても情報コンセントが外部に直接露出せずに、降雨時や降雪時にも濡れることなく、かつ、通常は他の器物が触れることのない情報コンセント取付構造体を提供することを目的とするものである。
【０００５】
【課題を解決するための手段】
上記課題を解決するため本発明情報コンセント取付構造体は、地上に立設された内部支柱に上端が閉塞された外部支柱が回動自在に被覆され、内部支柱の側壁に開口部が設けられるとともに、その開口部に面して内部支柱内に光線路に接続された情報コンセントが支持され、外部支柱の側壁には可搬局の端末用挿入孔が設けられ、内部支柱と外部支柱間の回動防止装置が設けられ、外部支柱を回動させて端末用挿入孔と内部支柱の開口部とを一致させて可搬局の端末を情報コンセントに接続することができ、又可搬局の端末を情報コンセントから取り外した際は端末用挿入孔の位置が内部支柱の開口部からずれるように外部支柱を回動させることができ、さらに、端末用挿入孔と内部支柱の開口部とを一致させたときとずらしたときのいずれにおいても、回動防止装置によって内部支柱と外部支柱とを回動不能に固定することができるようになされたものである。
【０００６】
本発明によれば、回動自在になされた外部支柱の端末用挿入孔と内部支柱の開口部とを合致させれば内部支柱内に支持された情報コンセントに可搬局の端末を接続することができるとともに、外部支柱の端末用挿入孔の直径が小さいさいことから内部支柱の開口部が外部支柱で覆われ雨水等が侵入しがたい。
【０００７】
また本発明によれば、情報コンセントを使用しないときは外部支柱の端末用挿入孔を内部支柱の開口部からずらせることによって、内部支柱の開口部が外部支柱により完全に覆われ雨水等から保護される。
【０００８】
さらに本発明によれば、内部支柱と外部支柱とが回動防止装置により固定され、情報コンセントの使用時にも使用されない時にも外部支柱がみだりに回動したり抜けたりしない。
【０００９】
さらにまた本発明によれば、情報コンセント取付構造体が内部支柱と外部支柱との二重構造となされているので、強度的に優れ、路上等屋外に設置しても損傷されがたい。
【００１０】
また本発明情報コンセント取付構造体は、内部支柱、外部支柱ともに断面円形となされたもので、それによって、内部支柱に対して外部支柱が断面同心円状に配されて円滑に回動させることができる。
【００１１】
さらに本発明情報コンセント取付構造体は、内部支柱、外部支柱ともに断面対称形となされており、それによって、内部支柱に対して外部支柱をいったん抜き取って向きを変えた後内部支柱に差し込むことで、外部支柱の端末用挿入孔と内部支柱の開口部とを合致させたりずらせたりすることができる。
【００１２】
さらに本発明情報コンセント取付構造体は、回動防止装置が、外部支柱の端末用挿入孔を内部支柱の情報コンセントに向き合せた状態で両支柱の直径方向に貫通して設けられたピン孔と、そのピン孔に挿入されるロックピンと、そのロックピンの先端に取着された抜け止めとからなるもので、それによって、ロックピンを抜いて外部支柱を反転させた後に、再びロックピンを挿通することによって、情報コンセントの使用時にも使用しない時にも内部支柱と外部支柱とを回動不能に固定することができる。
【００１３】
さらにまた本発明情報コンセント取付構造体は、内部支柱のピン孔にロックピン用ガイドパイプが設けられてなるものであって、ロックピンの挿入、抜き取り時に際しロックピンが円滑に出し入れすることができる。
【００１４】
そしてまた本発明情報コンセント取付構造体は、回動防止装置が、電波、又は赤外線式の遠隔操作による施錠・解除可能なロック機構となされたものであり、内部支柱と外部支柱との固定、解除が離れた場所からでも行うことができるため、例えば緊急の場合にすばやく対応でき、あるいはカギの管理を別途にする必要がなく、またいたずらによってカギが壊されるようなこともない。
【００１５】
そしてまた本発明情報コンセント取付構造体は、回動防止装置が、そのコンセント取付構造体に接続された光線路を経て得られる情報を基にした遠隔操作による施錠・解除可能な機構となされたものであり、その施錠・解除機構を操作するための信号送信回路を別途に設ける必要がなく、その広域にわたって設置されたコンセント取付構造体に接続された光線路のごく一部を活用することによる遠隔操作によって、専用の制御システムを設ける必要がないためきわめて低コストでの運用がなされる。
【００１６】
さらにまた本発明情報コンセント取付構造体は、外部支柱の端末用挿入孔の縁に防水シートが設けられてなるものであって、たとえ情報コンセントの使用中であっても可搬局の端末と端末用挿入孔間の隙間からの雨水等の侵入をほぼ完全に防止することができる。
【００１７】
【発明の実施の形態】
以下、本発明情報コンセント取付構造体の一実施形態例について図１〜図３を参照しながら説明する。
図１において、１は内部支柱である。内部支柱１は鋼、アルミニウム等の金属、合成樹脂、合成樹脂被覆金属管等からなり、上部側壁に開口部１１が設けられている。内部支柱１の内側には開口部１１に面して情報コンセント２が支持されている。情報コンセント２は光線路２２の先端に取着されており、その情報コンセント２の先端部２１は、本実施形態例においては開口部１１に向かって水平に曲折されている。
【００１８】
図２において、３は外部支柱である。外部支柱３は内部支柱１より一回り太くなされ、その上端は閉塞されており、内部支柱１の外側に上端から差し込むようになされている。外部支柱３の側壁には、内部支柱１の開口部１１に面して可搬局の端末用挿入孔３１が設けられている。そして、外部支柱３も内部支柱１と同様に鋼、アルミニウム等の金属、合成樹脂、合成樹脂被覆金属管等からなる。
【００１９】
なお内部支柱１、外部支柱３の断面形状は円形の他楕円形、四方形正六角形等の正多角形であってもよい。
【００２０】
図３において、可搬局の端末４を情報コンセント２に接続する場合は外部支柱３を回動させて端末用挿入孔３１と内部支柱１の開口部１１とを一致させればよく、可搬局端末４を情報コンセント２から取り外した際は端末用挿入孔３１の位置が内部支柱１の開口部１１からずれるように外部支柱３を回動させればよい。
【００２１】
また図３において、５は内部支柱１と外部支柱３の回動防止装置である。この図３における回動防止装置５はロックピン５１と、このロックピン５１の先端に取着された抜け止め５２とからなり、ロックピン５１は内部支柱１、外部支柱３の直径方向に貫通するピン孔１２、３２に挿入され、その先端に抜け止め５２として錠が懸けられている。
【００２２】
この内部支柱１のピン孔１２と外部支柱３のピン孔３２とは、外部支柱３の端末用挿入孔３１が内部支柱１の開口部１１と相対する場合も内部支柱１の開口部１１を封鎖する場合にも合致させうるようになされている。
【００２３】
図４の場合は、内部支柱１の二つのピン孔１２，１２間を結んでロックピン用ガイドパイプ１３が差し渡されている。
【００２４】
また内部支柱１と外部支柱３の回動防止装置５としては上記ロックピン５１の他に、電波、または赤外線式等の遠隔操作による施錠・解除可能なロック機構となされていてもよいし、あるいはまた、そのコンセント取付構造体に接続された光線路を経て得られる情報を基にした遠隔操作による施錠・解除可能な機構となされていてもよい。
【００２５】
図５は、遠隔操作による施錠・解除機構の実施形態の例を表したものである。
図５において、
（ａ）：情報コンセント２を装備した内部支柱１に対し外部支柱３が上方から被覆され、
（ｂ）：外部支柱３を図の様に左方向にほぼ９０°回転して外部支柱３の端末用挿入孔３１から可搬局端末を情報コンセント２に接続可能な状態となり、
（ｃ）：可搬局端末の接続を外して使用が終了した後は外部支柱３を図の様に右方向にロック位置までほぼ１８０°回転させて停止させたうえ、遠隔操作を働かせてロックされる。
すなわちここで、外部支柱３の内側には後述する電磁スイッチ１６のスイッチピン１６′が貫通可能に開けられたストッパー孔３５′を有するストッパー３５が固定されている。一方内部支柱１には、上記（ａ）の段階でストッパー３５が落とし込みされる縦通路１４に続いて左右に内部支柱１に対し外部支柱３が被覆された状態で外部支柱３を回転させた際に前記ストッパー３５が同時に回動可能なように開けられた横周り通路１５が設けられている。そして、上記（ｂ）の段階で外部支柱３を図の様に左方向にほぼ９０°回転した際に外部支柱３の端末用挿入孔３１が正面に向いた状態となって可搬局端末を情報コンセント２に接続可能な状態となり、上記（ｃ）の段階で外部支柱３を右方向にロック位置まで回転した際に内部支柱１の横周り通路１５の端部付近に設けられた電磁スイッチ１６のスイッチピン１６′の位置に合致するようになっている。
【００２６】
なお、ここに記述した施錠・解除機構はストッパー孔３５′を有するストッパー３５に対してスイッチピン１６′を備えた電磁スイッチ１６という組み合わせをモデル的に顕したものであるが、その他施錠・解除機構は種々の機構が可能であり、本発明においては電波、または赤外線式の遠隔操作とすることによって、専用の施錠部品を別途準備しておかなくてもよい点に特徴づけられるが、さらにそのコンセント取付構造体に接続された光線路を経て得られる情報を基にした遠隔操作による施錠・解除がなされた場合には、施設された光線路をそのまま活用してこの情報コンセント取付構造体の施錠・解除コントロールが出来て、別途に操作回路を設ける必要がないのでムダがない。
【００２７】
また図６には、外部支柱３の端末用挿入孔３１の縁に防水シート３３が設けられている。ここで、防水シート３３には中心部から周辺に向かって数カ所の切り目３４が設けられ、可搬局の端末４を情報コンセント２に差し込む際にも支障がないようになされている。ここにおいて、防水シートとしてはＥＰＤＭなど柔軟で耐候性に優れる材料が用いられ、外部支柱３の端末用挿入孔３１の縁に貼り付けるなどして設けられている。
【００２８】
【発明の効果】
以上詳述したように、請求項１記載の本発明によれば、情報コンセント取付構造体は、地上に立設された内部支柱に上端が閉塞された外部支柱が回動自在に被覆され、内部支柱には側壁に開口部が設けられるとともに、その開口部に面して内部支柱内に光線路に接続された情報コンセントが支持され、外部支柱の側壁には可搬局の端末用挿入孔が設けられ、内部支柱と外部支柱間の回動防止装置が設けられてなるので、回動自在になされた外部支柱の端末用挿入孔と内部支柱の開口部とを合致させれば内部支柱内に支持された情報コンセントに可搬局の端末を接続することができるとともに、外部支柱の端末用挿入孔の直径が小さいさいことから内部支柱の開口部が外部支柱で覆われ雨水等が侵入しがたい。
【００２９】
また本発明によれば、情報コンセントを使用しないときは外部支柱の端末用挿入孔を内部支柱の開口部からずらせることにより、内部支柱の開口部が外部支柱により完全に覆われ雨水等から保護される。
【００３０】
さらに本発明によれば、内部支柱と外部支柱とが回動防止装置により固定され、情報コンセントの使用時にも使用しない時にも外部支柱がみだりに回動したり抜けたりしない。
【００３１】
さらにまた本発明によれば、情報コンセント取付構造体が内部支柱と外部支柱との二重構造となされているので、強度的に優れ、路上等屋外に設置しても支柱内部に収納されている情報コンセント機器やその光線路などが損傷されがたい。
【００３２】
つぎに請求項２記載の本発明によれば、情報コンセント取付構造体は内部支柱、外部支柱ともに断面円形となされているので、内部支柱に対し、外部支柱が断面同心円状に配され円滑に回動させることができる。
【００３３】
さらに請求項３記載の本発明によれば、情報コンセント取付構造体は内部支柱、外部支柱ともに断面対称形となされているので、内部支柱に対し、外部支柱をいったん抜き取って向きを変えた後内部支柱に差し込むことで、外部支柱の端末用挿入孔と内部支柱の開口部とを合致させたりずらせたりすることができる。
【００３４】
さらにまた請求項４記載の本発明によれば、情報コンセント取付構造体は回動防止装置が、外部支柱の端末用挿入孔を内部支柱の情報コンセントに向き合せた状態で両支柱の直径方向に貫通して設けられたピン孔と、そのピン孔に挿入されるロックピンと、そのロックピンの先端に取着された抜け止めとからなるので、ロックピンを抜いて外部支柱を反転させた後、再びロックピンを挿通することにより、情報コンセントの使用時にも非使用時にも内部支柱と外部支柱とを回動不能に固定することができる。
【００３５】
さらにまた請求項５記載の本発明によれば、情報コンセント取付構造体は内部支柱のピン孔にロックピン用ガイドパイプが設けられてなるので、ロックピンの挿入、抜き取り時にロックピンが円滑に出し入れすることができる。
【００３６】
さらにまた請求項６記載の本発明によれば、情報コンセント取付構造体は回動防止装置が、電波式、又は赤外線式のロック機構によって構成されているので、内部支柱と外部支柱との固定、解除が離れた場所からでも行うことができる。
【００３７】
さらにまた請求項７記載の本発明によれば、情報コンセント取付構造体は外部支柱の端末用挿入孔に防水シートが設けられてなるので、情報コンセントの使用中であっても可搬局の端末と端末用挿入孔間の隙間からの雨水等の侵入がほぼ完全に防止される。
【図面の簡単な説明】
【図１】本発明に使用される内部支柱の一例を示す一部切り欠き側面図である。
【図２】本発明に使用される外部支柱の一例を示す一部切り欠き側面図である。
【図３】本発明情報コンセント取付構造体の使用状態を示す一部切り欠き側面図である。
【図４】本発明に使用される内部支柱の他の例を示す一部切り欠き斜視図である。
【図５】本発明に使用される遠隔操作によるロック機構において、作動の実施形態例を示す一部切り欠き斜視図である。
【図６】本発明に使用される外部支柱の他の例を示し、（イ）は一部切り欠き側面図、（ロ）は一部切り欠き正面図である。
【符号の説明】
１    内部支柱
１１  開口部
１２  ピン孔
１３  ロックピン用ガイドパイプ
２    情報コンセント
２１  先端部
２２  光線路
３    外部支柱
３１  端末用挿入孔
３２  ピン孔
３３  防水シート
３４  切り目
４    可搬局端末
５    回動防止装置
５１  ロックピン
５２  抜け止め
【図１】
0003816345.tif 000002
【図２】
0003816345.tif 000003
【図３】
0003816345.tif 000004
【図４】
0003816345.tif 000005
【図５】
0003816345.tif 000006
【図６】
0003816345.tif 000007